(57)【要約】      （修正有）【課題】てんぷら等の揚げ物料理の際に油飛散から手腕を守るカバーを提供する。【解決手段】手部と腕部で構成された長手袋であって、調理時の油等飛散から手腕を守るカバー１において、手部２の握り部１０にトング脱着具を設けてなるカバーである。手部が、ミトン型手袋等の群の中から選択される一でなることが望ましい。トング脱着具が、面ファスナー等からなる群の中から選択される少なくとも一を用いた矜持具でなることが望ましく、カバーの少なくとも一部が、反射材９を有し、少なくともカバーの一部に開閉自在の切り込み７が設けられてなることが望ましい。【選択図】図１
2020182606.tif 000002
【特許請求の範囲】
【請求項１】
手部と腕部で構成された略長手袋であって、調理時の高温のてんぷら油等飛散から手腕を守るカバーにおいて、前記手部の握り部にトング脱着具を備えてなることを特徴とするてんぷら油等飛散から手腕を守るカバー。
【請求項２】
請求項１に記載のてんぷら等油飛散から手腕を守るカバーにおいて、前記手部が、ミトン型手袋、三本指手袋、五本指手袋、略楕円形状手袋、略円形状手袋、略逆台形状手袋、略ハート形状手袋、略逆洋梨形状手袋の群の中から選択される一でなることを特徴とするてんぷら油等飛散から手腕を守るカバー。
【請求項３】
請求項１または請求項２に記載のてんぷら等油飛散から手腕を守るカバーにおいて、前記トング脱着具が、スポンジ、ゴム、スプリング、面ファスナー、ボタン、ファスナー、クリップ、粘着ゲルシート、両面テープ、磁石、鉄片からなる群の中から選択される少なくとも一を用いた挟持具でなることを特徴とするてんぷら油等飛散から手腕を守るカバー。
【請求項４】
請求項１乃至請求項３のいずれか一に記載のてんぷら等油飛散から手腕を守るカバーにおいて、前記カバーの少なくとも一部が、防炎材、耐熱材、反射材のうちから選択される一でなることを特徴とするてんぷら油等飛散から手腕を守るカバー。
【請求項５】
請求項１乃至請求項４のいずれか一に記載のてんぷら等油飛散から手腕を守るカバーにおいて、少なくとも前記カバーの一部に開閉自在の切り込みが設けられ、前記切り込み部がファスナー、面ファスナー、ボタン、クリップ、粘着ゲルシートからなる群の中から選択される一を用いた開閉可能構造でなることを特徴とするてんぷら油等飛散から手腕を守るカバー。
【発明の詳細な説明】
【技術分野】
【０００１】
てんぷら等油飛散から手腕を守るカバーに関する。詳しくは、てんぷら料理・フライ料理等の調理の際に、飛散するてんぷら等の油から手腕を守るための簡単に装着出来るカバーに関する。
【背景技術】
【０００２】
てんぷら料理、フライ料理などの揚げ物調理の際に食材の中に水分が多く存在していると、飛散する揚げ油が調理をする人の手に飛び跳ねて火傷をすることが多いことから、高温の油から手や腕を守るための簡単に装着出来る防具が望まれていた。さらに、通常のミトン型手袋であれば、前記ミトン型手袋を手にはめたうえで、トングを持たなくてはならず、しかも、ミトン型手袋でトングを挟もうとしても滑ってしまうことから、しっかりとミトン型手袋を保持して調理作業が出来ないのと、余計に時間がかかってしまう。てんぷら調理の際にこのようにもたもたしていると、美味しいてんぷらなどは期待できないという欠点がある。
【０００３】
しかし、公開されている次の特許文献１の特許第５８２３８３９号と特許文献２の実用新案登録第３１０４６６２号を実際に使用してみると分かることであるが、これらの発明、考案はいずれも様々な欠点があり、充分ではない。特許文献１の特許第５８２３８３９号においては、トングまたは箸をカバーに装着する際には、カバーに開けた穴にトングまたは箸の先端を差し込む必要があるが、この行為は使用者の一部からは非衛生的であるとの見方があった。しかしながら、油揚げ調理をする際の油の温度は２００℃前後であることから、例え該カバーが目に見えないような汚れがあったとしても高温の熱による殺菌効果により悪影響を与えないので、非衛生的であるとの考えは当たらない。しかし、一部の消費者がこの点を問題視して該発明の商品購入を手控える傾向にある。また、該カバーにトング等を装着するのに時間がかかる。更には、該カバーが複雑で製造時点のコストが割高になるといった欠点がある。
【０００４】
また、特許文献２の実用新案登録第３１０４６６２号においては、当該カバーと箸との間に隙間が生じ、この部分から熱したてんぷら油が入り込むため、何ら防護カバーの働きがなされていない。更には、カバーがスカートの襞のように角が多数あることから、これらの部分がてんぷら鍋等にひっかかり、かえって危険である。また、紐などの索体と箸が繋がれているが、これは使用時の安定性を欠き危険である。そのうえ、当該実用新案によれば、箸、手カバーとも自由に洗うことが出来ない状態であることが分かる。また、箸を当該手カバーに装着するのが非常に面倒である。このような欠陥が指摘されていたため、調理時に手や腕を飛散する油から守るための安全な防具が求められていた。
【先行技術文献】
【特許文献】
【０００５】
【特許文献１】特許第５８２３８３９号
【特許文献２】実用新案登録第３１０４６６２号
【発明の概要】
【発明が解決しようとする課題】
【０００６】
本発明の目的は、てんぷら・フライなどの揚げ物料理を調理する際に食材に水分が多いと揚げ油が飛散して手や腕に火傷をするという危険を回避するため、しっかりとトングを保持出来て作業のし易い防具であるてんぷら等油飛散から手腕を守るカバーを提供する。
【課題を解決するための手段】
【０００７】
請求項１は、手部と腕部で構成された略長手袋であって、調理時の高温のてんぷら油等飛散から手腕を守るカバーにおいて、前記手部の握り部にトング脱着具を備えてなることを特徴とする。
【０００８】
請求項２は、請求項１に記載のてんぷら等油飛散から手腕を守るカバーにおいて、前記手部が、ミトン型手袋、三本指手袋、五本指手袋、略楕円形状手袋、略円形状手袋、略逆台形状手袋、略ハート形状手袋、略逆洋梨形状手袋の群の中から選択される一でなることを特徴とする。
【０００９】
請求項３は、請求項１または請求項２に記載のてんぷら等油飛散から手腕を守るカバーにおいて、前記トング脱着具が、スポンジ、ゴム、スプリング、面ファスナー、ボタン、ファスナー、クリップ、粘着ゲルシート、両面テープ、磁石、鉄片からなる群の中から選択される少なくとも一を用いた挟持具でなることを特徴とする。
【００１０】
請求項４は、請求項１乃至請求項３のいずれか一に記載のてんぷら等油飛散から手腕を守るカバーにおいて、前記カバーの少なくとも一部が、防炎材、耐熱材、反射材のうちから選択される一でなることを特徴とする。
【００１１】
請求項５は、請求項１乃至請求項４のいずれか一に記載のてんぷら等油飛散から手腕を守るカバーにおいて、少なくとも前記カバーの一部に開閉自在の切り込みが設けられ、前記切り込み部がファスナー、面ファスナー、ボタン、スナップ、クリップ、粘着ゲルトシートからなる群の中から選択される一を用いた開閉可能構造でなることを特徴とする。
【発明の効果】
【００１２】
本発明によれば、次のような利点がある。
1 前記トングを設けたカバーの開口部から手を入れてトングを握り、その力点である手部で挟んでトング先端部を開閉するだけで良い。
2 高温の油を使う揚げ物調理の際等に非常に安定して揚げ物等の対象物を保持し、調理を迅速に行うことが出来る。
3 本発明のトングとカバーとは極めて簡単に脱着して、両者を洗うことが出来、非常に衛生的に保管、使用出来る。
４ 本発明のカバーとそれに設けた熱反射材の働きにより、調理中であっても高温の油の熱を感ずることなく、非常に安全、迅速に調理することが出来る。
５ 本発明のトングは市販のものも使用出来ることから、両者を別々に販売することも可能であり、また逆に、トングと本発明を一緒にして販売することも可能である。
６ 本発明を事業化する際には、部品点数が少ないので、新たな設備投資も必要がなく安価に生産出来る。
【図面の簡単な説明】
【００１３】
【図１】本発明の一実施例で、手部が略ハート形状長手袋にトング脱着具を設けてなるカバーの概略説明図（実施例１）
【図２】図１の分解説明図である。
【図３】図１のA―A線断面図である。
【図４】図1の実施例１での使用時の概略透視説明図である。
【図５】図４のB―B線断面図である。
【図６】a〜hはそれぞれ本発明の一実施例で使用可能な長手袋の概略説明図である。
【図７】本発明の一実施例で、手部にトング脱着具としてゴムの挟持具を設けてなるカバーの使用時の概略透視説明図である。（実施例２）
【図８】図７のC―C線断面図である。
【発明を実施するための形態】
【００１４】
課題を解決するため、本発明の請求項１は、手部と腕部で構成された略長手袋であって、調理時の高温のてんぷら油等飛散から手腕を守るカバーにおいて、前記手部の握り部にトング脱着具を備えてなることを特徴とするてんぷら油等飛散から手腕を守るカバーである。
【００１５】
好ましくは、前記手部が、ミトン型手袋、三本指手袋、五本指手袋、略楕円形状手袋、略円形状手袋、略逆台形状手袋、略ハート形状手袋、略逆洋梨形状手袋の群の中から選択される一でなることが望ましい。
【００１６】
また、好ましくは、前記トング脱着具が、スポンジ、ゴム、スプリング、面ファスナー、ボタン、ファスナー、クリップ、粘着ゲルシート、両面テープ、磁石、鉄片からなる群の中から選択される少なくとも一を用いた挟持具でなることが望ましい。
【００１７】
さらに、好ましくは、前記カバーの少なくとも一部が、防炎材、耐熱材、反射材のうちから選択される一でなることも望ましい。
【００１８】
また、さらに好ましくは、少なくとも前記カバーの一部に開閉自在の切り込みが設けられ、前記切り込み部がファスナー、面ファスナー、ボタン、スナップ、クリップ、粘着ゲルシートからなる群の中から選択される一を用いた開閉可能構造でなることも望ましい。
【００１９】
ここで、長手袋の種類について述べる。図６a〜cは、それぞれ市販されている典型的な長手袋であり、右手用を示している。図６aはミトン型長手袋に腕部が付いたもので、前記右手用と左手用の手袋とは対照に作られており、一緒に使用される。これ以外にも、図６bの三本指長手袋、図６cの五本指長手袋があり、それぞれ多くが販売されている。
【００２０】
これらの場合も図示しているのは右手用であるが、前述のように右手用と左手用のものも一緒に使用する。また、図６d〜hに示す長手袋は、それぞれ本発明で使用出来る長手袋の種類を示したものである。
【００２１】
図６aはミトン型長手袋で、一般には親指だけが分離したいわゆるふたまた長手袋で、主に防寒、登山などに用いられ、北海道などでは、 ぼっこ手袋とも言い、親指のみを入れて残り四本の指はまとめて大きな袋に入れて使う。また、図６bの３本指長手袋は、親指、人差し指が独立しており、残りの３本の指は同じ袋に入る形の長手袋で、前記のミトン型長手袋よりは精密な作業を行う場合に使用する。
一方、図６cの５本指長手袋は、指ごとに分離した長手袋で5本指に分かれているので、従来のミトンより掴む・持つ等の作業がしやすい。これらの長手袋はどれも、本発明を構成する一部になる長手袋のカバーとして使用される。また、図６のd〜hに示している長手袋は、本発明者が創作したものであり、右手用、左手用の別はなく、左右どちらの手でも長手袋のカバーとして使用することが出来る。なお、図６のd〜hに示す長手袋について説明する。dは略楕円形状長手袋、eは略円形状長手袋、fは略逆台形状長手袋、gは略ハート形状長手袋、hは略逆洋梨形状長手袋である。図６のa〜hまでのいずれであっても、その手部の握り部に本発明のトングの脱着具を設けて本実施例の一とすることが出来る。本実施例では、図６gに示す略ハート形状手袋により説明をすることとする。
【実施例】
【００２２】
本発明を図面により説明する。図１は、本発明の一実施例で、手部と腕部とからなる長手袋において、前記手部が略ハート形状手袋にトング脱着具を設けられ、腕部の開口部から手腕を入れやすくするため、前記腕部に切り込みと面ファスナーを設けてなるてんぷら等油飛散から手腕を守る長手袋のカバーを示す説明図である（実施例１）。図１において、１はカバー、２は手部、３は腕部、４はトング脱着具、５は当て布、６は開口部、７は切り込み、８は面ファスナー、９は反射材、１０は握り部である。図１において、略ハート形状の長手袋のカバー1の手部２の握り部１０と当て布５に面ファスナー８をトング脱着具４として設けてなる。本実施例の使用時には前記握り部１０と当て布５に設けた面ファスナー８の間にトングを挟んだ上で両面ファスナー８の一部を止めることで前記トングを保持する。なお、図１に示すように、本発明で用いる長手袋のカバー１は手部２と腕部3が連続して一体成形又は接続されてなる長手袋であって、概略的には略ハート型手袋の手を差し込む袖を伸ばして腕部３として長手袋のカバー１とした形である。この手の平に当たる握り部１０にトング脱着具４を設ける。本実施例において、このトング脱着具４は手の平にあたる側の握り部４に面ファスナー８が設けられ、その上に内側に面ファスナー８が設けられた当て布５の左右と下の三方が閉じられ袋状となっている。使用に当たっては、トングの支点及び力点を前記トング脱着具４の袋状の当て布５中に入れてから面ファスナー８を軽く圧着してトングを固定することで準備が出来る。次に本発明のカバー１の腕部３の開口部６から手を入れて手部２に設けられたトング脱着具４に付いているトングを長手袋の中から掴み、前記トングの先を開閉させながら調理作業を行うだけである。これにより、長手袋のカバー1が手部２だけでなく腕部３までを覆っているので、てんぷらを揚げたり、フライを揚げたりする調理作業では、例え、高温の油が飛散して手腕に掛かったとしてもカバー1が防護するために火傷を負いにくい。また、長手袋のカバー１がほぼ完全にトングとは熱的に絶縁されていること、また、反射材９で熱を反射することから、長手袋のカバー１内部に熱い油が入り込んだりせずに手を火傷から守られている。また、切り込み７からは飛散する油は上方から飛んでくるので、切り込み７からは入りにくい。
【００２３】
なお、前記トング脱着具４として、面ファスナー8を用いたが、それに代えて、スポンジ、ゴム、スプリング、ボタン、ファスナー、クリップ、粘着ゲルシート、両面テープ、磁石、鉄片からなる群の中から選択される少なくとも一を用いたトング脱着具の挟持具でなるものでも良い。
【００２４】
また、長手袋のカバー１は、反射材に限らず、該カバー１０表面の少なくとも一部が、防炎材、耐熱材、反射材からなる群の中から選択される少なくとも一でなるものが好ましい。
【００２５】
また、前記実施例において、少なくとも前記長手袋のカバー１の一部に開閉自在の切り込み７が設けられ、前記切り込み７部がファスナー、面ファスナー、ボタン、スナップ、クリップ、粘着ゲルシートからなる群の中から選択される一でなるものか好ましい。
【００２６】
図２は、図１の分解説明図である。図２において、１〜１０は図1と同様である。図2において、手部２と腕部３からなる略ハート型長手袋のカバー１の腕部３に切り込み７が設けられ、該切り込み７には面ファスナー８が設けられ、切り込み７が開閉自在に設けられており、開口部６から手部２、腕部３を差し入れる際にもスムーズに行える。また、前記手部2の手のひらの握り部１０にトング脱着具４が設けられている。前記トング脱着具４は、該握り部１０に面ファスナー８が固着され、面ファスナー８が設けられた当て布５との間にトングを挟み、面ファスナー８の一部を押圧して両者をくっつけてトングを固定する。
【００２７】
図３は、図１のA―A線断面図である。図３において、１、４、５、８〜１０は図２と同様である。略ハート形状長手袋のカバー1の手の平の握り部１０と当て布５にそれぞれ面ファスナー８を対向して設けられてなる。
【００２８】
図４は、図1の実施例１に手腕を差し込みトングをトング脱着具に設けて使用する際の透視概略説明図である。図４において、１１は手、１２は腕、１３はトング、１４は支点、１５は力点、１６は作用点である。１〜１０は図１と同様である。図４において、当て布５が同図の左右と下部は略ハート型長手袋の手部２と腕部３に固着されていて上方からトング１３を差し入れてから対向する面ファスナー８を押し付けてトング１３を握り部１０のトング脱着具４に固定する。その後、開口部６から手腕を差し入れ、握り部１０に設けられた前記トング脱着具４で固定されたトング１３を長手袋のカバー１の中からトング１３を握る。この時、トング１３を挟んでトング１３に力を入れる手１１が力点１５となり、トング下部が支点１４となり、トング１３先端が作用点１６となり、作用点を開閉することで調理することが出来る。また、腕部３に開閉自在の切り込み７と面ファスナー８とが設けられており、手腕を本実施例のカバーに挿入するのを楽にする。前記の説明で分かるように長手袋のカバー１の外にトング１３が配置されているので、調理の際の高温の油が長手袋のカバー１には入り込むことがなく、また、少なくとも同カバー１の一部が反射材９であることが望ましい。なお、図４において、当て布５の左右と下の三方が閉じられ袋状となっているが、トング１３の支点１４がしっかりと握り部１０に固定されているのであれば袋状でなくとも面ファスナー８をT字にするなどの方法で固定されてなるものでも良い。
【００２９】
また、図５は図４のB-B線断面図である。図５において、１、４、５、８〜１１、１３、１５は図４と同様である。実施例１にトング１３を固定して手１１を差し入れて、トング１３を挟んだ状態を示す。図５において、一部が当て布５と面ファスナー８で固定されているトング１３を手１１で挟むことで当て布５の一部とトング１３は同図の左右に動くことで調理の対象物を火傷を負う心配もなく挟み調理することが可能となる。
【００３０】
前記に示したように、図６のa〜hはそれぞれが本発明の一実施例で使用可能な各種長手袋の種類を示した説明図である。図６において、a〜cは左右対称ではないため、右利き用あるいは左利き用に特定される。しかし、図６d〜hの長手袋の場合は、右利き、左利きの聞き手には関係なく使用出来る。なお、なお、図６において、簡単のため開口部の図示は省略している。
【００３１】
図７は、本発明の一実施例で、手部にトング脱着具としてゴムの挟持具を設けてなるカバーの透視概略説明図で実施例２である。図７において、１７はゴムの矜持具であり、１〜４、６、７、９〜１６は図４と同様である。図７において、トングを挟持具によりトング１３を握り部１０に挟持することで、作用点１６を自在に開閉して調理を行うことが出来る。
【００３２】
図８は、図７のC-C線断面図である。図８において、１、４、９、１０、１３、１７は図７と同様である。
【産業上の利用可能性】
【００３３】
本発明は、てんぷら・フライ料理などの調理の際に飛散する油から手や腕を守るカバーであるが、キャンプなどで使用する炭火を使ってバーベキュー、焼肉などを行う際には手や腕に熱さを感じさせない事から飛び跳ねる炭火から手や腕を守る事も出来、非常に有効な道具となる。
【符号の説明】
【００３４】
１ カバー
２ 手部
３ 腕部
４ トング脱着具
５ 当て布
６ 開口部
７ 切り込み
８ 面ファスナー
９ 反射材
１０ 握り部
１１ 手
１２ 腕
１３ トング
１４ 支点
１５力点
１６ 作用点
【図１】
2020182606.tif 000003
【図２】
2020182606.tif 000004
【図３】
2020182606.tif 000005
【図４】
2020182606.tif 000006
【図５】
2020182606.tif 000007
【図６】
2020182606.tif 000008
【図７】
2020182606.tif 000009
【図８】
2020182606.tif 000010